(57)【要約】      （修正有）【課題】電球形蛍光灯を用いた照明器具において、着脱が容易なセードを提供する。【解決手段】電球形蛍光灯１の口金２とグローブ７間の点灯装置を支持収容しているカバー３の円筒部３ｃに着脱可能に嵌合する嵌合部１２ａを有するセード１２とする。電球形蛍光灯１を持ってソケットに口金２をねじ込むとセード１２は灯１を介してソケットに支持される。灯１をソケットから外すとセード１２は共にソケットに対して離れる。セード１２と灯１を分離する。【選択図】図１
0003143326.tif 000002
【実用新案登録請求の範囲】
【請求項１】
ソケットにねじ込まれる口金に続いてカバーで蔽われた点灯装置、点灯装置に続いて発光管を連設し前記カバーの外周が口金側よりも離れるにつれて大径となるように段部又はテーパ部を有し口金を上部にして用いられる電球形蛍光灯に用いるセードであって、
中心部に設けられ電球形蛍光灯のカバーの口金より離れた段部上又はテーパ部に着脱可能に嵌合する嵌合部と、
前記嵌合部の周囲に設けた反射笠部と、
を有し、ソケットから電球形蛍光灯を取り外した際に電球形蛍光灯に対して着脱自在としたことを特徴とするセード。
【請求項２】
電球形蛍光灯をソケットにねじ込んだ際にソケットの外周に係合するソケット係合部を有することを特徴とする請求項１に記載のセード。
【考案の詳細な説明】
【技術分野】
【０００１】
この考案は、電球形蛍光灯を用いた照明器具に用いるセード（笠）に関する。ここで電球形蛍光灯とはグローブの有無にかかわらず口金に続いてカバーで蔽われた点灯装置、点灯装置に続いて発光管を連設した灯をいう。
【背景技術】
【０００２】
発熱電球から電球形蛍光灯が開発された時代を通じセードはソケット側に固定されるのが通常である。これに対して特許文献には白熱電球の口金に取り付けたセードが開示されている。
【特許文献１】実公昭１４−５６４６号公報
【特許文献２】実公昭１５−１２５７９号公報
【考案の開示】
【考案が解決しようとする課題】
【０００３】
特許文献１には下部（ガラス球側）の短い円筒部の下端につば（小凸縁２）を設けた口金１が示されている。口金１の上記円筒部に嵌着し小凸縁２に支持される環金３が設けてある。環金３の外周縁に受鍔５を設けてある。電球のガラス部分の根本（導入線体着凸子）に受鍔５を嵌合している。受鍔５上に反射鏡板６を嵌着支持している。
【０００４】
特許文献２には笠体１の中心に透孔２を穿設し、該孔の周周縁より中心に向い三個の金属杆３を設けて各金属杆間に電球根部の適所を嵌着支持した電灯用反射笠が開示されている。
【０００５】
特許文献１に記載の考案は上述のように口金の小凸縁上に反射鏡板を嵌着支持している。処が口金下部の小凸縁の外径は口金のねじの山径とほぼ等しい。そして、小凸縁の外径は口金のねじの山径（ねじの外径）３５．５ミリメートルに対して３６．９ミリメートルであり、小凸縁の幅は０．７ミリメートルである。従って、特許文献１の環金３は口金の小凸縁部のすぐ上の円筒部にゆるく嵌合するようにすることは許されない。そこで、電球と笠との脱着は口金の中心線の方向に行うときは、口金のねじと笠の中心部が干渉し合って脱着が困難となる。
【０００６】
特許文献１の環金３は導電性があり口金と導通しているので取扱上好ましくない。
【０００７】
特許文献２に記載の電球根部とは何を指すのか明確でないが、ガラス製で内部が減圧されたガラス球上に金属杆３の突端を当てて加圧することは考え難いので口金下部の小突縁上を指すものと考えられ、金属杆３は口金と干渉し、電球と笠の脱着が困難であり、口金と導通しているので取扱い上好ましくない。
【０００８】
この考案は電球形蛍光灯（グローブを欠くものを含む）に用いられるセードであって、電球形蛍光灯に対して着脱が容易であると共に口金と接触部のないセードを提供することを目的とする。
【課題を解決するための手段】
【０００９】
この考案の請求項１に係る考案はソケットにねじ込まれる口金に続いてカバーで蔽われた点灯装置、点灯装置に続いて発光管を連設し前記カバーの外周が口金側よりも離れるにつれて大径となるように段部又はテーパ部を有し口金を上部にして用いられる電球形蛍光灯に用いるセードであって、
中心部に設けられ電球形蛍光灯のカバーの口金より離れた段部上又はテーパ部に着脱可能に嵌合する嵌合部と、
前記嵌合部の周囲に設けた反射笠部と、
を有し、ソケットから電球形蛍光灯を取り外した際に電球形蛍光灯に対して着脱自在としたことを特徴とするセードである。
【００１０】
この考案の請求項２に係る考案は電球形蛍光灯をソケットにねじ込んだ際にソケットの外周に係合するソケット係合部を有することを特徴とする第１の考案に記載のセードである。
【考案の効果】
【００１１】
セードは電球形蛍光灯を介してソケットに支持されている。口金をソケットから外すとセードは電球形蛍光灯と共にはずされる。口金側からセードを容易に抜ける。従って、セードの電球形蛍光灯に対する着脱が容易である。セードは電球形蛍光灯のカバーとのみ接触しているので全部を金属製としても電気的に取扱いに格別の注意を必要としない。ソケットにセードを取り付ける金具の必要がなく、形状が簡単で且つ単一材料で製作できるのでコストが安い。
【００１２】
更にソケット係合部を設けた場合はセードの傾きを抑止できる。
【実施例】
【００１３】
以下、この考案の実施例を図面を用いて説明する。
【００１４】
図１は全体を示す側面図、図２は図１の平面図、図３は要部を示す縦断面図である。
【００１５】
先ず、この考案に採用される電球形蛍光灯について説明する。図３に示すように全体を符号１で示す電球形蛍光灯１は口金２に続いてカバー３で蔽われた点灯装置４、点灯装置４に続いて発光管５を連設してある。口金２の上部中心のアイレット２ｉから導線２ｊを介して点灯装置４に導通している。
【００１６】
この蛍光灯１は垂直に吊り下げられた図示されないソケットに口金２をねじ込んで用いる。従って口金２は上方に発光管５は下方にした状態で用いる場合に後述のセードが用いられる。
【００１７】
発光管５は長い筒状のガラス管５ｇを二重螺旋状に成形し、螺旋の一端側５ａを結合し、他端５ｂ，５ｃ側中に設けた電極は基板６ａ、基板６ａ上に設けた電気部材６ｂ，６ｃ，６ｄからなる点灯装置４に結線されている。発光管５のガラス管５ｇ内にはアルゴン等のガスが封入されている。
【００１８】
カバー３は口金のねじ部２ａの内周のめねじ２ａ２にねじ込まれている。ねじ部２ａは金属板を成形したものであり、外周にはおねじ２ａ１、内周には目ねじ２ａ２が形成されている。めねじ２ａ２にカバー３のねじ部３ａが接着材を介してねじ込まれているか、めねじ２ａ２にねじ部３ａをねじ込んだ後に口金２のねじ部２ａの下部２ｂをかしめて口金２とカバー３は固定されている。下部２ｂは円筒形である。口金の下部２ｂの円筒形部分の外径はおねじ２ａ１の谷径とほぼ同一である。下部２ｂの下端は外径がおねじ２ａ１の外径とほぼ同一の外径のつば２ｃ状である。口金の下部２ｂのすぐ上はおねじ２ａ１の谷で終っている。
【００１９】
カバー３は口金のつば２ｃに接する段部３ｂを有する。段部３ｂに続いてねじ部３ａから拡径された筒状部３ｃを有する。筒状部３ｃは截円錐形で上端が小径端、下端が小径端よりわずかに大きい大径端となっている。筒状部３ｃの小径端の直径は口金２の下端のつばの外径よりやや大である。筒状部３ｃの大径端は直径が２９．６ミリメートルである。
【００２０】
筒状部３ｃの下端の大径端に段部３ｄを介して円錐部３ｅが続いている。段部３ｄの幅は小さい。円錐部３ｅの下端の大径端は上端の小径端に比し大きく円錐角は９０度に近い。円錐部３ｅの下端に続いて基板取付円筒部３ｆが設けてある。円筒部３ｆは円錐角の小さな截円錐形である。
【００２１】
カバー３は全体が薄肉の筒状である。カバー３はポリブチレンテレフタレートＰＴＢのような耐熱性、電気絶縁性がある合成樹脂成形品である。カバーとしては絶縁材を介して口金を取り付けた板金製のものもある。
【００２２】
カバー３の基板取付円筒部３ｆ内には基板６ａが接着剤８を介して嵌合し固定されている。基板６ａは下部にホルダ部６ａ１を有する。ホルダ部６ａ１は円筒形の容器状でこの中に発光管５の他端側５ｂ，５ｃが突入しており、ホルダ部６ａ１によって発光管５の上部が支持されている。ホルダ部６ａ１と基板取付円筒部３ｆ間にはグローブ７の円筒形の上縁７ａが接着剤を介して嵌入している。
【００２３】
グローブ７は下部はほぼ球形である。グローブ７の底は熱伝導性が良く且つ透明なシリコーンが施工されシリコーン９で発光管５の一端側５ａを保持してある。
【００２４】
上記においてグローブ７はガラス又はポリカーボネート等で作られている。
【００２５】
発光管５のガラス管５ｇの形状としては本例の二重螺旋状以外に直線状で折曲されたもの等がある。
【００２６】
（セード）
図１はセード１２を付設した電球形蛍光灯１を図示されていないソケットから取外した状態を見る側面図、図２はセード１２の平面図である。
【００２７】
セード１２は板金製である。セード１２は中心部に設けられ電球形蛍光灯１のカバー３の口金２より下方に離れたカバー３の段部３ｄ上の筒状部３ｃの下端部に嵌合する嵌合部１２ａ（図２参照）を有する。
【００２８】
嵌合部１２ａは平面状の円板部１２ｂの中心に設けた開口１２ｃの縁である。開口１２ｃは丸穴である。ただし、セード１２が電球形蛍光灯１のカバー３の筒状部３ｃの下端部に嵌合して位置決めされ、段部３ｄに載置されればよいので、開口１２ｃは丸穴でなく、丸穴から放射方向に開口が入り込んでいてもよい。
【００２９】
円板部１２ｂの外周に円錐形部１２ｄの小端部が続いている。円錐形部１２ｄは大端部が下方に向って拡がっている。円錐形部１２ｄの大端部の縁は円錐の内側となるように折曲され、折込１２ｅが回り縁状に形成されている。
【００３０】
円板部１２ｂと円錐形部１２ｄでもって反射笠部を形成している。
【００３１】
上記において、セード１２は厚さ０．３ミリメートルのトタン板で上面側（外側）がカラー色の艶なし焼付けウレタン塗装がされ下面側（内側）は銀色か白色艶なし塗装がされている。
【００３２】
セード１２は円錐形部１２ｄの大端の直径が２００ミリメートル、同小端の直径が８０ミリメートル、開口１２ｃが３０ミリメートル、高さが７２ミリメートルである。
【００３３】
上記のように構成したセード１２を片方の手で持ち他方の手で電球形蛍光灯１のグローブ７を握んで開口１２ｃに口金２側を挿通して、カバー３の筒状部３ｃを差込み、段部３ｄを開口１２ｃの縁に当接させる。ここで、口金２をグローブ７を下にした位置でセード１２から手を離し、グローブ７を握った手でそのまま持ち上げて図示されないソケットに電球形蛍光灯１の口金２のねじ部２ａをねじ込む。
【００３４】
セード１２を取り外すときは、上記と逆に図示されないソケットに対して電球形蛍光灯１をねじ戻して、上記ソケットからセード１２を随伴して電球形蛍光灯１は外される。次に、セード１２から電球形蛍光灯１をこれらの中心線方向に引くと、セード１２の開口１２ｃから電球形蛍光灯１の筒状部３ｃは抜け出るので、セード１２と電球形蛍光灯１は分離する。このとき、口金２の直径よりもセードの嵌合部１２ａの直径は充分大きく、嵌合部１２ａと口金２のねじ部２ａが干渉しない。
【００３５】
図示されないソケットにセード１２を嵌入した電球形蛍光灯１を取り付けた状態から、電球形蛍光灯１、セード１２の他の取り外し方は次のとおりである。セード１２の外周の縁を一方の手で持ち保持し、他方の手で電球形蛍光灯１のグローブ７を握って、電球形蛍光灯１をねじ戻して該ソケットから電球形蛍光灯１を取り外すと共に、セード１２の開口１２ｃから電球形蛍光灯１を抜くと、セード１２と電球形蛍光灯１は分離される。
【００３６】
セードがなく電球形蛍光灯のみであると明りが天井・横壁を無駄に照らしてしまい、肝心な直下照明が暗い。セードを取り付けると直下照明が倍増され、とても明るくなる。明るさが倍増される為、ワット数を少なく出来るし省エネと成り節約にもなる。
【００３７】
セードは一板の平板からプレス加工で出来るのでコストが安い。また、従来例のようにソケットにセードを取り付けるのではないのでセードの開口周縁はソケットに取り付けるための格別な形状でなく反射笠部のみであり形状が簡単である。また、白熱電球の場合のように口金に直接取り付けるのではないので取扱い上格別な配慮が必要ない。
【００３８】
セードの取り外しは電球形蛍光灯の取り外しと同時であり、且つセードと電球形蛍光灯の係脱は工具を用いることもなく、開口からカバーを抜くだけで極めて簡単である。
【００３９】
（他の実施例）
図４は他の実施例の縦断面図である。カバー３は段部３ｂ上に口金の下部２ｂの内周に接着剤を介して嵌合する円筒部３ｈを有する。カバー３が筒状部３ｃを有する点は前実施例と同様であるが、筒状部３ｃの円錐角は前実施例よりやや大である。筒状部３ｃの下に続いて短い下部円筒部３ｇを有する。ホルダ部６ａ１の円筒形の外周と下部円筒部３ｇ間にはグローブ７の上縁７ａが接着剤を介して嵌入し、カバー３、ホルダ部６ａ１、グローブ７は固定されている。グローブ７は上縁７ａから円錐部７ｂを介して拡径されて上部円筒部７ｃが続いている。カバー３の下部円筒部３ｇと上部円筒部７ｃの外周はほぼ同径である。
【００４０】
この電球形蛍光灯１は全体としては前の実施例と同様であり、同機能部には同一の符号を付してある。上記のようにカバー３とグローブ７の一部は前実施例と異なる。
【００４１】
セード１２は円板部１２ｂの開口１２ｃの縁の嵌合部１２ａは上縁１２ａ１が円錐形の筒状部３ｃの外周に丁度嵌合する円錐形状である。上縁１２ａ１の下端に続く円筒部１２ａ２は円板部１２ｂから上方に立上っている。円筒部１２ａ２はカバー３の下部円筒部３ｇ、グローブ７の上部円筒部７ｃに隙間少なく緩く嵌合している。
【００４２】
なお、この実施例で示す電球形蛍光灯に前の実施例のセードを用いてもよい。この場合はセード１２の嵌合部１２ａが円錐形の筒状部３ｃに嵌合支持される。
【００４３】
上述のようにセードの中心の開口の直径は口金の外径よりも大きく、且つカバーの下縁の下部円筒部３ｇの外径よりも小さく、口金よりも電球形蛍光灯の中心線方向に離れた位置のカバーに嵌合する大きさである。
【００４４】
一方口金はねじ込み式でその外径は標準化されている。従って、セードの中心の開口は円又は円に対して放射方向に切り込まれている場合の接円でその直径を一定としても、多種の電球式蛍光灯に採用可能である。
【００４５】
図５は更に他の実施例の透視的に示す側面図である。この実施例は第１の実施例に適用したものであるが第２の実施例にも適用可能である。
【００４６】
天板１２ｂには円筒状のソケット係合部１２ｆが一体又は下端に外フランジを設け、天板１２ｂとスポット溶接して一体的に設けてある。ソケット係合部１２ｆの上部は円周形であって、ソケット１３の円筒形の下部の外周に嵌合している。ソケット係合部１２ｆはソケット１３の下部の外周に対して上下方向に抵抗なく移動して着脱出来るように嵌合隙間を定めてある。且つ、セード１２が電球形蛍光灯１に対して傾こうとした場合にソケット係合部１２ｆがソケット１３の下部で抑止されてセード１２の姿勢を傾かないように保つことが出来るように上記嵌合隙間を定めておけば好適である。
【００４７】
ソケット係合部１２ｆとしては開口１２ｃ（図２参照）の縁から、小端部を下にした截円錐形の筒を設け、この筒の大端部につづけて上方に向ってソケット１３の下部の外周に嵌合する円筒部を設けてもよい（図略）。
【図面の簡単な説明】
【００４８】
【図１】実施例の透視的に示す側面図である。
【図２】セードの平面図である。
【図３】この考案の適用される電球形蛍光灯の一例を示す縦断面図である。
【図４】他の実施例の縦断面図である。
【図５】更に他の実施例の透視的に示す側面図である。
【符号の説明】
【００４９】
１…電球形蛍光灯
２…口金  ２ａ…ねじ部  ２ａ１…おねじ  ２ａ２…めねじ  ２ｂ…下部  ２ｃ…つば  ２ｉ…アイレット  ２ｊ…導線
３…カバー  ３ａ…ねじ部  ３ｂ…段部  ３ｃ…筒状部  ３ｄ…段部  ３ｅ…円錐部  ３ｆ…基板取付円筒部  ３ｇ…下部円筒部  ３ｈ…円筒部
４…点灯装置  
５…発光管  ５ａ…一端側  ５ｂ，５ｃ…他端  ５ｇ…ガラス管
６ａ…基板  ６ａ１…ホルダ部  ６ｂ，６ｃ，６ｄ…電気部材
７…グローブ  ７ａ…上縁  ７ｂ…円錐部  ７ｃ…上部円筒部
８…接着剤
９…シリコーン
１２…セード  １２ａ…嵌合部  １２ａ１…上縁  １２ａ２…円筒部  １２ｂ…円板部  １２ｃ…開口  １２ｄ…円錐形部  １２ｅ…折込  １２ｆ…ソケット係合部
１３…ソケット
【図１】
0003143326.tif 000003
【図２】
0003143326.tif 000004
【図３】
0003143326.tif 000005
【図４】
0003143326.tif 000006
【図５】
0003143326.tif 000007